(57)【特許請求の範囲】
【請求項１】
内部に、内筒体と該内筒体の周囲に設けられた外筒体と該両筒体の間に設けられて該両筒体を互いに連結するゴム弾性体とを有する防振装置本体が嵌入される防振装置用筒状部材であって、
筒部と、
上記筒部の筒軸方向一方側の端部を筒径方向内側に折り曲げて形成されたフランジ部とを備え、
上記フランジ部における筒軸方向外側の面の平面部分には、上記内筒体の上記筒軸方向一方側の端部に上記フランジ部の筒軸方向外側に位置すべく外嵌される、上記両筒体の筒軸方向の相対移動を規制するためのゴム製ストッパーと筒軸方向に対向するように、筒周方向に延びる金属製補強板が取り付けられていることを特徴とする防振装置用筒状部材。
【請求項２】
内筒体と該内筒体の周囲に設けられた外筒体と該両筒体の間に設けられて該両筒体を互いに連結するゴム弾性体とを有する防振装置本体と、
筒部と該筒部の筒軸方向一方側の端部を筒径方向内側に折り曲げて形成されたフランジ部とを有し、内部に上記防振装置本体が嵌入された筒状部材と、
上記内筒体の上記筒軸方向一方側の端部に上記フランジ部の筒軸方向外側に位置するように外嵌された、上記両筒体の筒軸方向の相対移動を規制するためのゴム製ストッパーとを備え、
上記フランジ部における筒軸方向外側の面の平面部分には、上記ストッパーと筒軸方向に対向するように、筒周方向に延びる金属製補強板が取り付けられていることを特徴とする防振装置。
【発明の詳細な説明】
【技術分野】
【０００１】
本発明は、防振装置用筒状部材及びこれを備えた防振装置に関するものである。
【背景技術】
【０００２】
防振装置は、例えば、自動車のパワープラントと車体との間に介在されて、そのパワープラントの荷重を支持するとともに、当該パワープラントからの振動を吸収し或いは減衰させて、車体への振動伝達を抑制するようになっている。
【０００３】
特許文献１に示す防振装置は、内部に、内筒体と外筒体とがゴム弾性体により連結されてなる防振装置本体が圧入された筒状部材が、その外周に取り付けられたブラケットによって車体に連結される一方、内筒体は、その筒軸方向両端部がそれぞれ結合されるブラケットによって、パワープラントに連結されている。筒状部材の筒軸方向一方側の端部には、この部分を筒径方向内側に折り曲げて形成されたフランジ部が備えられている。内筒体の上記筒軸方向一方側の端部には、フランジ部の筒軸方向外側の部分にストッパーが外嵌されている。そして、ストッパーがパワープラント側のブラケットやフランジ部に当接することによって、両筒体の筒軸方向の相対移動が規制されるようになっている。
【特許文献１】実開昭６３−１４１３４３号公報
【発明の開示】
【発明が解決しようとする課題】
【０００４】
上記フランジ部における筒軸方向外側の面の平面部分、つまり、筒状部材の、ストッパーが当接する受け面はその幅が狭く、それゆえ、その面積が小さくなり、ストッパーの機能を充分に発揮させることができないおそれがある。また、筒状部材の信頼性の向上のため、その剛性を高めたいという要望もある。
【０００５】
本発明は、かかる点に鑑みてなされたものであり、その目的とするところは、防振装置用筒状部材の、ストッパーが当接する受け面の面積を大きくするとともに、筒状部材の剛性を高めることにある。
【課題を解決するための手段】
【０００６】
第１の発明は、内部に、内筒体と該内筒体の周囲に設けられた外筒体と該両筒体の間に設けられて該両筒体を互いに連結するゴム弾性体とを有する防振装置本体が嵌入される防振装置用筒状部材であって、筒部と、上記筒部の筒軸方向一方側の端部を筒径方向内側に折り曲げて形成されたフランジ部とを備え、上記フランジ部における筒軸方向外側の面の平面部分には、上記内筒体の上記筒軸方向一方側の端部に上記フランジ部の筒軸方向外側に位置すべく外嵌される、上記両筒体の筒軸方向の相対移動を規制するためのゴム製ストッパーと筒軸方向に対向するように、筒周方向に延びる金属製補強板が取り付けられていることを特徴とするものである。
【０００７】
これにより、フランジ部における筒軸方向外側の面の平面部分に、ストッパーと筒軸方向に対向するように、補強板を取り付けているので、防振装置用筒状部材の、ストッパーが当接する受け面の面積を大きくすることができ、ストッパーの機能を充分に発揮させることができる。
【０００８】
また、フランジ部における筒軸方向外側の面の平面部分に補強板を取り付けているので、防振装置用筒状部材の剛性を高めることができる。
【０００９】
第２の発明は、内筒体と該内筒体の周囲に設けられた外筒体と該両筒体の間に設けられて該両筒体を互いに連結するゴム弾性体とを有する防振装置本体と、筒部と該筒部の筒軸方向一方側の端部を筒径方向内側に折り曲げて形成されたフランジ部とを有し、内部に上記防振装置本体が嵌入された筒状部材と、上記内筒体の上記筒軸方向一方側の端部に上記フランジ部の筒軸方向外側に位置するように外嵌された、上記両筒体の筒軸方向の相対移動を規制するためのゴム製ストッパーとを備え、上記フランジ部における筒軸方向外側の面の平面部分には、上記ストッパーと筒軸方向に対向するように、筒周方向に延びる金属製補強板が取り付けられていることを特徴とするものである。
【００１０】
これにより、上記第１の発明と同様の作用効果が得られる。
【発明の効果】
【００１１】
本発明によれば、フランジ部における筒軸方向外側の面の平面部分に、ストッパーと筒軸方向に対向するように、補強板を取り付けているので、防振装置用筒状部材の、ストッパーが当接する受け面の面積を大きくすることができ、ストッパーの機能を充分に発揮させることができ、また、防振装置用筒状部材の剛性を高めることができる。
【発明を実施するための最良の形態】
【００１２】
以下、本発明の実施形態を図面に基づいて詳細に説明する。
【００１３】
本実施形態では、本発明に係る液体封入式防振装置を自動車のエンジンマウントＡに適用し、このエンジンマウントＡは、図示しない自動車のパワープラントと車体との間に介在されて、そのパワープラントの荷重を支持するとともに、当該パワープラントからの振動を吸収し或いは減衰させて、車体への振動伝達を抑制するためのものである。
【００１４】
すなわち、図１〜図４に示すように、エンジンマウントＡの本体（防振装置本体。以下、マウント本体という。）１は、中空筒状の金属製内筒体１０と、この内筒体１０の外周囲に内筒体１０と同軸に設けられた中空円筒状の金属製外筒体１１（図４のみ図示）と、これら両筒体１０，１１の間に設けられて両筒体１０，１１を互いに連結するゴム弾性体１２とを備えるものである。そして、内部にマウント本体１が圧入固定された筒状金具（筒状部材）２が、その外周に筒径方向外側に延びるように一体的に取り付けられた２つの金属製ブラケット３，４によって振動受け側の車体フレーム（図示せず）に連結される一方、内筒体１０は、その筒軸方向両端部がそれぞれボルト等により結合されるブラケット（図示せず）によって、振動源側のパワープラントに連結されるようになっている。
【００１５】
なお、図４は、パワープラントの静荷重が作用していない状態を示しており、この状態では内筒体１０の中心軸が外筒体１１の中心軸から上方にオフセットしているが、上記のように車体に取り付けられてパワープラントの静荷重が加わる１Ｇ状態では、図示しないが、ゴム弾性体１２が撓んで内筒体１０が下方に変位し、その中心軸が外筒体１１の中心軸と概ね合致するようになる。
【００１６】
エンジンマウントＡは、例えばエンジンルームに横置きに搭載されるパワープラントのトランスミッション側の端部を吊り下げるものであり、内筒体１０の軸線が概ね自動車の車体の前後方向を向くように配置されている。
【００１７】
上記マウント本体１は、上記内筒体１０、外筒体１１、及びゴム弾性体１２に加えて、このゴム弾性体１２の内部における両筒体１０，１１の中間部分に埋設された中間筒体１３（図４のみ図示）と、ゴム弾性体１２の内部における内筒体１０の下側部分及び上側部分にそれぞれ形成された主流体室及び副流体室（図示せず）と、これら両流体室を連通するオリフィス通路（図示せず）とをさらに備えている。各流体室には液体及び気体が封入されている。そして、主流体室及び副流体室の液体がオリフィス通路を介して相互に流通することによって、内筒体１０からゴム弾性体１２に作用する低周波・大振幅の振動が減衰されるようになっている。
【００１８】
上記筒状金具２は、中空円筒状の筒部２０と、この筒部２０の筒軸方向一方側（図１では手前側）の端部を筒径方向内側に９０度折り曲げて形成された第１フランジ部２１と、筒部２０の筒軸方向他方側（図１では奥側）の端部を筒径方向外側に９０度折り曲げて形成された第２フランジ部２２とを有している。このように、第１フランジ部２１を筒径方向内側に突出させているので、筒状金具２内に嵌入したマウント本体１を第１フランジ部２１によって受けて保持することができる。第１フランジ部２１の筒軸方向外側の外面２１ａは、一定幅の平面部分２１ｂと、この平面部分２１ｂの外周囲にある一定幅の曲面部分２１ｃとからなる。このように、第１フランジ部２１の外面２１ａに曲面部分２１ｃができるのは、第１フランジ部２１を折り曲げて形成するためである。なお、筒部２０の筒軸方向端部を筒径方向内側に折り曲げるのは、筒径方向外側に折り曲げるよりも加工しやすい。
【００１９】
上記内筒体１０は、筒軸方向長さが外筒体１１よりも長くなっていて、筒軸方向両端が外筒体１１からそれぞれ突出している。この内筒体１０の筒軸方向両端部には、その外周囲にあるゴム弾性体１２を介してゴム製ストッパー１４，１５がフランジ部２１，２２の筒軸方向外側に位置するようにそれぞれ外嵌されている。以下の説明では、内筒体１０の筒軸方向一方側（図１では手前側）に配置されたストッパー１４について述べるが、内筒体１０の筒軸方向他方側（図１では奥側）に配置されたストッパー１５も、内筒体１０の筒軸方向一方側にあるストッパー１４と同様の基本構成をなしている。
【００２０】
ストッパー１４は略扇形の板状のものであり、その筒径方向中央部に内筒体１０が挿通される挿通孔１４ａが形成されていて、内筒体１０から筒径方向両側にそれぞれ延びている。ストッパー１４の円弧側の端部は他の部分よりも厚肉となっており、この厚肉部１４ｂはパワープラント側のブラケットと第１フランジ部２１との間に配置されていて、その両面に突条部１４ｃがそれぞれ形成されている。
【００２１】
上記第１フランジ部２１の外面２１ａの平面部分２１ｂには、第１フランジ部２１側のストッパー１４の厚肉部１４ｂ、及びパワープラント側のブラケットと筒軸方向に対向するように、筒周方向に延びる略Ｃ字状の金属製補強板５がプロジェクション溶接によって取り付けられている。この補強板５は、内周形状が第１フランジ部２１の内周形状と一致していて、その内周が第１フランジ部２１の内周と同一曲面上にある。また、補強板５は、幅が第１フランジ部２１の外面２１ａの平面部分２１ｂの幅よりも広くなっていて、その平面部分２１ｂを筒周方向に関しその半分以上覆っている。そして、ストッパー１４の厚肉部１４ｂがパワープラント側のブラケットや補強板５に当接することによって、両筒体１０，１１の筒軸方向の相対移動が規制されるようになっている。なお、補強板５を略Ｃ字状に形成しているのは、補強板５が第１フランジ部２１の外面２１ａに固定されたブラケット３と干渉しないようにするためである。
【００２２】
以下、エンジンマウントＡの製造方法を簡単に説明する。つまり、筒状金具２の第１フランジ部２１の平面部分２１ｂに補強板５を溶接固着した後、筒状金具２の内部にマウント本体１を嵌め込む（図２参照）。そして、内筒体１０の筒軸方向両端部にストッパー１４，１５をそれぞれ取り付ける（図１参照）。
【００２３】
以上により、本実施形態によれば、第１フランジ部２１の外面２１ａの平面部分２１ｂに、ストッパー１４の厚肉部１４ｂと筒軸方向に対向するように、幅がその平面部分２１ｂの幅よりも広い補強板５を取り付けているので、筒状金具２の、ストッパー１４が当接する受け面の面積を大きくすることができ、ストッパー１４の機能を充分に発揮させることができる。
【００２４】
また、第１フランジ部２１の外面２１ａの平面部分２１ｂに補強板５を取り付けているので、筒状金具２の剛性を高めることができ、ひいては、筒状金具２の固有周波数を高めることができる。
【００２５】
（その他の実施形態）
上記実施形態では、本発明を液体封入式防振装置に適用しているが、防振装置が内筒体１０と外筒体１１とがゴム弾性体１２により連結されてなるものである限り、いかなる防振装置に適用してもよい。
【００２６】
上記実施形態では、補強板５を略Ｃ字状に形成しているが、補強板５がストッパー１４と筒軸方向に対向しかつ筒周方向に延びるとともに他の部材と干渉しない限り、この形状に限らない。例えば、筒周方向全周に亘って延びるＯ字状に形成してもよい。
【００２７】
本発明は、実施形態に限定されず、その精神又は主要な特徴から逸脱することなく他の色々な形で実施することができる。
【００２８】
このように、上述の実施形態はあらゆる点で単なる例示に過ぎず、限定的に解釈してはならない。本発明の範囲は特許請求の範囲によって示すものであって、明細書には何ら拘束されない。さらに、特許請求の範囲の均等範囲に属する変形や変更は、全て本発明の範囲内のものである。
【産業上の利用可能性】
【００２９】
以上説明したように、本発明にかかる防振装置用筒状部材および防振装置は、筒状部材の、ストッパーが当接する受け面の面積を大きくするとともに、筒状部材の剛性を高める用途等に適用できる。
【図面の簡単な説明】
【００３０】
【図１】本発明の実施形態に係るエンジンマウントの斜視図である。
【図２】内部にマウント本体が圧入された筒状金具の斜視図である。
【図３】筒状金具の分解斜視図である。
【図４】マウント本体の底面図である。
【符号の説明】
【００３１】
１      マウント本体（防振装置本体）
１０    内筒体
１１    外筒体
１２    ゴム弾性体
１４    ストッパー
２      筒状金具（筒状部材）
２０    筒部
２１    第１フランジ部
２１ａ  外面（筒軸方向外側の面）
２１ｂ  平面部分
５      補強板
Ａ      エンジンマウント（防振装置）
【図１】
0004958690.tif 000002
【図２】
0004958690.tif 000003
【図３】
0004958690.tif 000004
【図４】
0004958690.tif 000005